(57)【要約】【解決手段】本発明は、引抜きダイス１、および連続的に作動する引抜き装置を有する引抜き機械に関し、この引抜き機械の場合、引抜き装置が、ただ１つの閉じた牽引装置を有しており、この牽引装置が、軸線方向に平行なホイール４の周りを案内されており、且つ、これらホイール４の内の少なくとも１つのホイールを介して、制御された状態で移動される。この牽引装置は、締付けジョー５を担持した締付け装置６と結合されており、その際、これら締付けジョー５が、引抜きされるべき線材７、管体、または形材を把持するために、制御され、且つ、互いに向かい合って近づく、または互いに離れるように移動可能である。１つの実施形態において、これら締付けジョー５は、保持棒１１によって保持されており、これら保持棒が、それぞれに、締付け装置６と結合された引張り部材３を貫いて貫通係合し、その際、第１の引張り部材３と結合された締付けジョー５の内のそれぞれ１つの締付けジョーが、第２の引張り部材３に設けられた締付けジョー５の内の１つの締付けジョーと協動作用する。従って、それぞれの引張り部材３に対して、この引張り部材３の走行方向に対して横方向に整向された力が作用すること無しに、締付けジョー５は、これら保持棒１１を介して、互いに向かい合って近づいて移動され、このことによって、これら引張り部材は、従来技術に比して、低下された磨耗に委ねられている。
2004520167.tif 000002
【特許請求の範囲】
【請求項１】
引抜きダイス（１）、および連続的に作動する引抜き装置を有する引抜き機械において、
引抜き装置が、ただ１つの閉じた牽引装置を有していること、
この牽引装置が、軸線方向に平行なホイール（４）の周りを案内されており、且つ、これらホイール（４）の内の少なくとも１つのホイールを介して、制御された状態で移動されること、
この牽引装置が、締付けジョー（５）を担持した締付け装置（６）と結合されていること、
および、これら締付けジョー（５）が、引抜きされるべき線材（７）、管体、または形材を把持するために、制御された状態で、互いに向かい合って近づく、または互いに離れるように移動可能であるように構成されていることを特徴とする引抜き機械。
【請求項２】
牽引装置は、多数の平行に走行する引張り部材（３）から形成されていることを特徴とする請求項１に記載の引抜き機械。
【請求項３】
２つの、それぞれに、締付け装置（６）と結合された引張り部材（３）が設けられており、その際、
これら締付け装置（６）が、締付けジョー（５）を保持する保持棒（１１）を有しており、
これら保持棒が、それぞれに、所属する引張り部材（３）を貫いて貫通係合し、且つ、
第１の引張り部材（３）と結合された締付けジョー（５）の内のそれぞれ１つの締付けジョーが、第２の引張り部材（３）に設けられた締付けジョー（５）の内の１つの締付けジョーと協動作用することを特徴とする請求項２に記載の引抜き機械。
【請求項４】
牽引装置は、少なくとも１つのチェーン状の引張り部材（３）から形成されていることを特徴とする請求項１から３のいずれか一つに記載の引抜き機械。
【請求項５】
牽引装置は、少なくとも１つのロープ状の引張り部材（３）から形成されていることを特徴とする請求項１から３のいずれか一つに記載の引抜き機械。
【請求項６】
締付けジョー（５）は、制御カム（８）を介して制御されているように構成されていることを特徴とする請求項１から５のいずれか一つに記載の引抜き機械。
【請求項７】
締付けジョー（５）は、液圧的に、または空気圧的に制御されているように構成されていることを特徴とする請求項１から５のいずれか一つに記載の引抜き機械。
【請求項８】
締付け装置（６）は、それぞれ２つの、相対して摺動可能なくさび部材（９ａ、９ｂ）を有しており、これらくさび部材の、一方のくさび部材が、線材（７）、管体、または形材との摩擦接触において、他方のくさび部材に対して相対的に摺動し、
その際、増大されたくさびおよび締付作用が、線材（７）、管体、または形材に与えられるように構成されていることを特徴とする請求項１から７のいずれか一つに記載の引抜き機械。
【発明の詳細な説明】
【技術分野】
【０００１】
本発明は、引抜きダイス、および連続的に作動する引抜き装置を有する引抜き機械に関する。
【背景技術】
【０００２】
この様式の引抜き機械は既に公知であり、これら引抜き機械でもって、線材が連続的に引抜きされる。この目的で、この線材は、上側の、閉じた周囲に延在するチェーンの下側の車間部分と、下側の、閉じた周囲に延在するチェーンの上側の車間部分との間で、締付けられ、且つ引抜きされる。これら公知の引抜き機械は、著しい構造的な経費を必要とする。更に、これら引抜き機械は、高い度合いで磨耗を引き起こされる。何故ならば、この線材の締付けのために、力がこれらチェーンに対して、これらチェーンの走行方向に対して横方向に与えられるからである。締付けのこの様式は、それに加えて、著しい、煩わしい騒音発生を誘起する。
【発明の開示】
【発明が解決しようとする課題】
【０００３】
従って、本発明の課題は、この公知の引抜き機械の欠点を回避すること、および、線材、管体、及び／または形材のための信頼性の高い引張りを保障することである。
【課題を解決するための手段】
【０００４】
この課題は本発明に従い、
冒頭に記載した様式の引抜き機械において、
引抜き装置が、ただ閉じた牽引装置だけを有していること、
この牽引装置が、軸線方向に平行なホイールの周りを案内されており、且つ、これらホイールの内の少なくとも１つのホイールを介して、制御された状態で移動されること、
この牽引装置が、締付けジョーを担持した締付け装置と結合されていること、
および、これら締付けジョーが、引抜きされるべき線材、管体、または形材を把持するために、制御された状態で、互いに向かい合って近づく、または互いに離れるように移動可能である、ことによって解決される。
【発明の効果】
【０００５】
この引抜き機械の有利な更なる構成は、特に従属請求項から与えられる。
【０００６】
次に、本発明による引抜き機械の二三の実施の形態を、図面に基づいて説明する。
【発明を実施するための最良の形態】
【０００７】
図面に示された本発明による引抜き機械の実施の形態は、調和した状態で、それぞれに、２つのホイール４を介して走行する２つのチェーン状の引張り部材３を有し、これらホイールの、それぞれ１つのホイールが駆動されている。この駆動されるホイール４は、両方の駆動されていないホイール４の場合におけると同様に、それぞれに、共通の軸１２に装着している。これらチェーン状の引張り部材３は、それぞれに多数の締付け装置６と結合されている。それぞれ２つの、異なる引張り部材３に所属する締付け装置６は、これら締付け装置の締付けジョー５でもって線材７を把持するために協動作用する。これら締付け装置６は、ローラ１３を有しており、これらローラが、所属する引張り部材３の移動に基づいて、制御カム８上で案内される。それぞれの締付け装置６の締付けジョー５は、２つの保持棒１１を介して保持されており、これら保持棒が、所属するチェーン状の引張り部材３を貫いて、貫通案内されている。これら保持棒１１は、一方では、締付け装置が所属する引張り部材３を介して駆動されるように作用する。他方では、それぞれの引張り部材３に対して、この引張り部材３の走行方向に対して横方向に整向された力が作用すること無しに、協動作用する締付けジョー５は、これら保持棒１１を介して、互いに向かい合って近づいて移動される。即ち、互いに向かい合って近づく状態、または互いに離れる状態でのこれら締付けジョー５の移動は、これら引張り部材３から解離されており、このことによって、これら引張り部材３が、比較的に僅かな磨耗を有している。
【０００８】
制御カム８は、締付け装置６が上側の車間部分の初端部領域において線材７を把持状態に互いに向かい合って近づいて移動され、且つこの車間部分の端部に向かってこの線材７を解放状態に、互いに離れて移動されるように形成されている。
【０００９】
締付け作用を増大するために、一方では制御カムの位置に対して作用するくさび部材９ａ（図３および１３参照）、または他方では、個別の締付け装置６内に設けられた締付けジョーくさび部材９ｂ（図１０参照）が配置されている。この図１３もしくは図３による９ａの場合と同様に、図１０による締付けジョーくさび部材９ｂの場合も、線材７が把持された際、相対的な移動の状態になる。
【図面の簡単な説明】
【００１０】
【図１】１つの実施の形態の側面図であり、この実施の形態の場合、牽引装置は、チェーンとして形成されている。
【図２】図１による実施の形態の平面図である。
【図３】図１のＡ−Ａからの線に沿った、締付け力を増大するためのくさび部材の、位置調節に関する詳細図である。
【図４】図１の線Ｂ−Ｂに沿った、図３に関する図示による、水平方向断面図である。
【図５】閉じた締付けジョーの場合の、図１の線Ｃ−Ｃに沿った断面図である。
【図６】開放された締付けジョーの場合の、図５に相応する図である。
【図７】駆動ホイールおよび締付け装置の軸方向断面図である。
【図８】制御カム、およびばねを介しての復帰動作による、締付け装置の制御に関する実施の形態の図である。
【図９】同様に制御カムを介しての、制御カムおよび復帰動作による、締付け装置の制御に関する更に別の実施の形態の図である。
【図１０】締付けを増大するためのくさび部材を有する、図８に類似した図である。
【図１１】引抜きダイスを有する、線材供給部に関する断面図である。
【図１２】線材装填のための装置を有する、図１に類似した図である。
【図１３】開放された締付けジョー、および作動状態のグリップ鋏込み装置の場合の、引抜き機械の図である。
【国際公開パンフレット】
2004520167.tif 000003
2004520167.tif 000004
2004520167.tif 000005
2004520167.tif 000006
2004520167.tif 000007
2004520167.tif 000008
2004520167.tif 000009
2004520167.tif 000010
2004520167.tif 000011
2004520167.tif 000012
2004520167.tif 000013
2004520167.tif 000014
2004520167.tif 000015
2004520167.tif 000016
2004520167.tif 000017
2004520167.tif 000018
2004520167.tif 000019
2004520167.tif 000020
2004520167.tif 000021
2004520167.tif 000022
【手続補正書】
【提出日】平成15年7月7日(2003.7.7)
【手続補正１】
【補正対象書類名】特許請求の範囲
【補正対象項目名】全文
【補正方法】変更
【補正の内容】
【特許請求の範囲】
【請求項１】
引抜きダイス（１）、および連続的に作動する引抜き装置を有する引抜き機械であって、
その際、引抜き装置が、ただ１つの閉じた牽引装置を有しており、
この牽引装置が、２つの平行に走行する引張り部材（３）から形成されており、
この引張り部材（３）が、軸線方向に平行なホイール（４）の周りを案内されており、且つ、これらホイール（４）の内の少なくとも１つのホイールを介して、制御された状態で移動されおり、
この引張り部材（３）が、締付けジョー（５）を担持した締付け装置（６）と結合されており、
第１の引張り部材（３）と結合された締付けジョー（５）の内のそれぞれ１つの締付けジョーが、第２の引張り部材（３）に設けられた締付けジョー（５）の内の１つの締付けジョーと協動作用し、および、
これら締付けジョー（５）が、引抜きされるべき線材（７）、管体、または形材を把持するために、制御された状態で、互いに向かい合って近づく、または互いに離れるように移動可能である様式の、上記引抜き機械において、
これら締付け装置（６）が、締付けジョー（５）を保持する保持棒（１１）を有しており、
これら保持棒が、それぞれに、所属する引張り部材（３）を貫いて、ホイール（４）の軸線に対して平行な方向において貫通係合することを特徴とする引抜き機械。
【請求項２】
引張り部材（３）は、チェーン状であることを特徴とする請求項１に記載の引抜き機械。
【請求項３】
締付けジョー（５）は、制御カム（８）を介して制御されているように構成されていることを特徴とする請求項１または２に記載の引抜き機械。
【請求項４】
締付けジョー（５）は、液圧的に、または空気圧的に制御されているように構成されていることを特徴とする請求項１から３のいずれか一つに記載の引抜き機械。
【請求項５】
締付け装置（６）は、それぞれ２つの、相対して摺動可能なくさび部材（９ａ、９ｂ）を有しており、これらくさび部材の、一方のくさび部材が、線材（７）、管体、または形材との摩擦接触において、他方のくさび部材に対して相対的に摺動し、
その際、増大されたくさびおよび締付作用が、線材（７）、管体、または形材に与えられるように構成されていることを特徴とする請求項１から４のいずれか一つに記載の引抜き機械。
【国際調査報告】
2004520167.tif 000023
2004520167.tif 000024
2004520167.tif 000025
2004520167.tif 000026
2004520167.tif 000027
2004520167.tif 000028